(57)【要約】      （修正有）【課題】小物収納空間を好みに応じて使い分けできる使い勝手のよい冷蔵庫の提供。【解決手段】冷蔵室に仕切壁２４を設けてその横に小物収納空間を設けるに際し、前記仕切壁２４は板状に構成し、かつ更に、前記仕切壁２４は前記冷蔵室の背面側において前記仕切壁の横方向の動きが規制されるように嵌合固定するとともに前記冷蔵室の上面側において縦方向にビス止め固定した構成としてある。これにより、仕切壁の左右両側の収納空間に収納容器をセットして通常の使用ができるとともに、前記収納容器を取り外したときには当該収納空間には仕切壁固定補強部材が存在しないので、背丈の高いワインボトル等を収納することができ、ユーザの好みに応じた使用ができ、使い勝手が向上する。【選択図】図９
2014137186.tif 000002
【特許請求の範囲】
【請求項１】
冷蔵庫本体と、前記冷蔵庫本体内に形成した冷蔵室と、前記冷蔵室の上面側に縦方向に設けた仕切壁と、前記仕切壁によって区画形成した収納空間と、前記収納空間の冷蔵室壁面側に設けた壁面レール部及び前記仕切壁側に設けた仕切壁レール部と、前記壁面レール部と前記仕切壁レール部とに着脱自在に保持させた収納容器とを備え、前記仕切壁は板状に構成し、かつ更に、前記仕切壁は前記冷蔵室の背面側において前記仕切壁の横方向の動きが規制されるように嵌合固定するとともに前記冷蔵室の上面側において縦方向にビス止め固定したことを特徴とする冷蔵庫。
【請求項２】
冷蔵室の背面壁には仕切壁の背面側端部を嵌合させる凹状溝部を設けるとともに冷蔵室の上面側には突起を設け、かつ、仕切壁はその上端面に前記突起に嵌合して懸架される背面側開口状態の係合溝付き係合片を備えていて、仕切壁はその背面側端部が凹状溝部、係合溝付き係合片が突起にそれぞれ嵌合して固定されていることを特徴とする請求項１に記載の冷蔵庫。
【請求項３】
冷蔵室の上面側に設けた仕切壁固定用ビス孔は仕切壁を間にして前後方向に位置ずれしていることを特徴とする請求項１または２に記載の冷蔵庫。
【請求項４】
収納容器と仕切壁レール部とは互い係合して仕切壁と冷蔵室壁面との間の間隔を保持するように構成したことを特徴とする請求項１〜３のいずれか１項記載の冷蔵庫。
【請求項５】
冷蔵室は収納容器を設ける収納空間の背面側であって、収納容器よりも上方に冷気を供給する補助冷気吹出し口を備えるとともに、前記収納容器よりも下方に冷気が還流する冷気戻り口を有することを特徴とする請求項１〜４のいずれか１項に記載の冷蔵庫。
【請求項６】
収納容器を取り外した場合に、冷蔵室上面から最近接の収納棚までの距離を少なくとも３１２．５ｍｍ以上としたことを特徴とする請求項１〜５のいずれか１項に記載の冷蔵庫。
【発明の詳細な説明】
【技術分野】
【０００１】
本発明は冷蔵庫に関し、特に冷蔵室の小物収納構成に関するものである。
【背景技術】
【０００２】
一般に冷蔵庫は冷蔵室内に小物収納室が併設してあり、そのような冷蔵庫の中には上記小物収納室を冷蔵室の例えば最上部空間の天井部分に設けたものが見られる（例えば、特許文献１参照）。
【０００３】
図１３、図１４は上記特許文献１に記載された冷蔵庫を示し、この冷蔵庫１０１は冷蔵室１０２内を収納棚１０３で複数の空間に仕切り、この複数の空間のうち最上部に位置する空間の天井部分に仕切壁１０４を取り付けて仕切壁１０４左右に二つの空間が併設してある。そして、上記各空間内には仕切壁１０４と冷蔵室壁とに設けたレール１０５に収納容器１０７、１０８を着脱自在に設けて食品等を収納する小物収納空間１０９、１１０としてある。なお、この特許文献１の冷蔵庫では上記一方の小物収納室１０９には当該小物収納室１０９に設置した収納容器１０７を上下動させる上下動機構１１１を組み込んで食品を出し入れしやすくしてある。
【０００４】
このように冷蔵室１０２の天井部分に小物収納室１０９、１１０を併設した冷蔵庫にあっては、上記両小物収納室１０９、１１０の間を仕切る仕切壁１０４の下端がフリーな状態で冷蔵室１０２内の最上部空間の収納棚１０３上方に位置することになるから、特許文献１にも記載されているように上記仕切壁１０４の下端部は各小物収納室１０９、１１０を形成する冷蔵室内壁に棚受け１１２や補強片１１３を介して連結し、補強してある。
【先行技術文献】
【特許文献】
【０００５】
【特許文献１】特開２００４−３０１４５８号公報
【発明の概要】
【発明が解決しようとする課題】
【０００６】
上記特許文献１に記載されているような冷蔵庫は、各小物収納室１０９、１１０の下方に空間１１４が存在するので、当該空間を食品の収納部として活用でき、冷蔵室１０２内空間を有効に利用できる利点がある。
【０００７】
しかしながら、上記小物収納室１０９、１１０は仕切壁補強用の棚受け１１２や補強片１１３が位置しているため、小物収納室１０９或いは１１０を含む最上部空間全体を一つの連続した収納空間として有効に活用できない、という課題があった。例えば、小物収納室１１０の一方の収納容器１０８を取り外してこの小物収納室１１０に背丈の高い例えばボトルを収納しようとしても補強片１１３が邪魔になって収納できない等、ユーザの好みに応じて任意の形態で使用しようとしても使用することができない、という課題があった。また、小物収納室１１０或いは１０９を任意に使用できるようにしようとして仕切壁１０４の棚受け１１２や補強片１１３１を無くすると、仕切壁１０４の固定が不安定なものとなり、仕切壁１０４と冷蔵室内壁のレール１０５に架設した収納容器１０７或いは収納容器１０８が脱落するなど、品質上の問題が懸念され信頼性に欠けることになる。
【０００８】
本発明はこのような点に鑑みてなしたもので、仕切壁の端をフリーのままその固定強度を確保して小物収納室を任意に使用出来るようにし、使い勝手が良く信頼性の高い高品質な冷蔵庫を提供することを目的としたものである。
【課題を解決するための手段】
【０００９】
本発明は上記目的を達成するため、冷蔵庫本体と、前記冷蔵庫本体内に形成した冷蔵室と、前記冷蔵室の上面側に縦方向に設けた仕切壁と、前記仕切壁によって区画形成した収納空間と、前記収納空間の冷蔵室壁面側に設けた壁面レール部及び前記仕切壁側に設けた仕切壁レール部と、前記壁面レール部と前記仕切壁レール部とに着脱自在に保持させた収納容器とを備え、前記仕切壁は板状に構成し、かつ更に、前記仕切壁は前記冷蔵室の背面側において前記仕切壁の横方向の動きが規制されるように嵌合固定するとともに前記冷蔵室の上面側において縦方向にビス止め固定した構成としてある。
【００１０】
これにより、仕切壁横の小物収納空間に装着した収納容器に食品を収納して通常の状態で使用できるとともに、前記仕切壁横の少なくとも一方の小物収納空間の収納容器を取り外したときには当該小物収納空間には仕切壁固定補強用部材が存在しないので、背丈の高いボトル等を収納することができ、ユーザの好みに応じた使用ができる。しかも、前記仕切壁はその背面側端部を冷蔵室背面に嵌合固定するとともに上端面を冷蔵室上面側にビス止め固定しているので、左右方向にぶれることなく強固に固定保持することができ、レール部に保持させた収納容器が仕切壁のぶれによって脱落するようなこともなくなる。
【発明の効果】
【００１１】
本発明の冷蔵庫は、仕切壁横の小物収納空間をユーザの好みに応じて使用することができ、使い勝手が向上するとともに、仕切壁は仕切壁固定補強部材を設けなくても強固に固定することができて左右にふらついて生じる収納容器の落下等も防止でき、高品質で信頼性の高いものとすることができる。
【図面の簡単な説明】
【００１２】
【図１】本発明の実施の形態１における冷蔵庫の正面図
【図２】同冷蔵庫の内部を示す正面図
【図３】同冷蔵庫の縦断面図
【図４】同冷蔵庫の横断面図
【図５】同冷蔵庫における冷凍室背面の冷却室を露出させて冷蔵室の冷気流れを説明するための正面図
【図６】同冷蔵庫の内箱を背面側から示す斜視図
【図７】同冷蔵庫の小物収納室の使用例を示す正面図
【図８】同冷蔵庫の小物収納室の他の使用例を示す正面図
【図９】同冷蔵庫の小物収納室の要部を示す斜視図
【図１０】同冷蔵庫の小物収納室における収納容器のレール部への載置状態を示し、（ａ）は小物収納室１５側を示す断面図、（ｂ）はチルド室１６側を示す断面図
【図１１】同冷蔵庫の小物収納室の要部を示す分解斜視図
【図１２】同冷蔵庫の仕切壁を示す拡大斜視図
【図１３】従来の冷蔵庫の小物収納室の斜視図
【図１４】同従来の冷蔵庫の小物収納室を示す拡大斜視図
【発明を実施するための形態】
【００１３】
第１の発明は、冷蔵庫本体と、前記冷蔵庫本体内に形成した冷蔵室と、前記冷蔵室の上面側に縦方向に設けた仕切壁と、前記仕切壁によって区画形成した収納空間と、前記収納空間の冷蔵室壁面側に設けた壁面レール部及び前記仕切壁側に設けた仕切壁レール部と、前記壁面レール部と前記仕切壁レール部とに着脱自在に保持させた収納容器とを備え、前記仕切壁は板状に構成し、かつ更に、前記仕切壁は前記冷蔵室の背面側において前記仕切壁の横方向の動きが規制されるように嵌合固定するとともに前記冷蔵室の上面側において縦方向にビス止め固定した構成としてある。
【００１４】
これにより、仕切壁横の小物収納空間に装着した収納容器に食品を収納して通常の状態で使用できるとともに、前記仕切壁横の少なくとも一方の小物収納空間の収納容器を取り外したときには当該小物収納空間には仕切壁固定補強用部材が存在しないので、背丈の高いボトル等を収納することができ、ユーザの好みに応じた使用ができる。しかも、前記仕切壁はその背面側端部を冷蔵室背面に嵌合固定するとともに上端面を冷蔵室上面側にビス止め固定しているので、左右方向にぶれることなく強固に固定保持することができ、レール部に保持させた収納容器が仕切壁のぶれによって脱落するようなこともなくなる。
【００１５】
第２の発明は、第１の発明において、冷蔵室の背面壁には仕切壁の背面側端部を嵌合させる凹状溝部を設けるとともに冷蔵室の上面側には突起を設け、かつ、仕切壁はその上端面に前記突起に嵌合して懸架される背面側開口状態の係合溝付き係合片を備えていて、仕切壁はその背面側端部が凹状溝部、係合溝付き係合片が突起にそれぞれ嵌合して固定される構成としてある。
【００１６】
これにより、仕切壁の背面側端部はその上端から下端までが凹状溝部に嵌合して左右へのぶれが規制されるとともに、当該凹状溝部への嵌合に加えその上端面の係合溝付き係合片が冷蔵室上面側の突起に嵌合していることも合わさって強固に冷蔵室内に固定され、仕切壁のぶれによる収納容器の脱落をより確実に防止することができる。しかも組み立て時には仕切壁上端係合片の係合溝の開口を冷蔵室上面の突起に合わせてそのまま押し込めば仕切壁背面側端部は冷蔵室背面壁の凹状溝部に嵌り込むとともに、係合溝付き係合片は冷蔵室上面の突起に懸架された状態で仮止め保持され、ビス止め固定が容易になる等、生産性も良好なものとなる。
【００１７】
第３の発明は、第１または第２の発明において、冷蔵室の上面側に設けた仕切壁固定用ビス孔は仕切壁を間にして前後方向に位置ずれした構成としてある。
【００１８】
これにより、冷蔵室上面側の仕切壁固定用ビス孔部分は当該ビス孔同士間の寸法が大きくなって強度が向上し、使用しているうちに仕切壁を介して加わる収納容器内食品の重量によって下方へと変形し、仕切壁レール部と壁面レール部との位置関係がずれて、収納容器が左右に傾いたり、引き出しにくくなるようなことが無く、長期間に亘って良好な品質を保持することができる。
【００１９】
第４の発明は、第１〜第３の発明において、収納容器と仕切壁レール部とは互い係合して仕切壁と冷蔵室壁面との間の間隔を保持する構成としてある。
【００２０】
これにより、仕切壁は収納容器と仕切壁レール部との係合によって左右方向へのぶれが規制され、仕切壁が左右にぶれることによって生じる収納容器の脱落を確実に防止することができ、更に信頼性を向上させることができる。
【００２１】
第５の発明は、第１〜第４の発明において、冷蔵室は収納容器を設ける収納空間の背面側であって、収納容器よりも上方に冷気を供給する補助冷気吹出し口を備えるとともに、前記収納容器よりも下方に冷気が還流する冷気戻り口を有する構成としてある。
【００２２】
これにより、収納容器をセットした場合は収納容器上の食品を強く冷却することができるとともに、収納容器を取り外したときには補助冷気吹出し口からの冷気の一部が冷気戻り口へとショートサーキットするようになるので、当該収納空間の冷却度合いが低下し若干高め状態の冷却となる。したがって、比較的高め状態に冷却することが良いワインボトル等を最適状態に冷却することができ、使用用途が拡大し、使い勝手が一段と向上する。
【００２３】
第６の発明は、第５の発明において、収納容器を取り外した場合に、冷蔵室上面から最近接の収納棚までの距離を少なくとも３１２．５ｍｍ以上とした構成としてある。
【００２４】
これにより、収納容器を取り外してワインボトルを最適温度に冷却することができ、使い勝手が向上する。
【００２５】
以下、本発明の実施の形態について、図面を参照しながら説明する。なお、この実施の形態によって本発明が限定されるものではない。
【００２６】
（実施の形態１）
図１は本発明の実施の形態１における冷蔵庫の正面図、図２は同冷蔵庫の内部を示す正面図、図３は同冷蔵庫の縦断面図、図４は同冷蔵庫の横断面図、図５は同冷蔵庫における冷凍室背面の冷却室を露出させて冷蔵室の冷気流れを説明するための正面図、図６は同冷蔵庫の内箱を背面側から示す斜視図、図７は同冷蔵庫の小物収納室の使用例を示す正面図、図８は同冷蔵庫の小物収納室の他の使用例を示す正面図、図９は同冷蔵庫の小物収納室の要部を示す斜視図、図１０は同冷蔵庫の小物収納室における収納容器のレール部への載置状態を示し、（ａ）は小物収納室１５側を示す断面図、（ｂ）はチルド室１６側を示す断面図、図１１は同冷蔵庫の小物収納室の要部を示す分解斜視図、図１２は同冷蔵庫の仕切壁を示す拡大斜視図である。
【００２７】
図１〜図１１において、この冷蔵庫は、冷蔵庫本体１の上部に冷凍室２、その下部に冷蔵室３を有するトップフリーザ方式の冷蔵庫となっている。
【００２８】
上記冷蔵庫本体１は、図３に示すように、前方に開口する金属製（例えば鉄板）の外箱４と、硬質樹脂製（例えばＡＢＳ製）の内箱５と、これら外箱４と内箱５との間に発泡充填した硬質ウレタン等の発泡断熱材６からなる。また、冷蔵庫本体１の冷凍室２及び冷蔵室３の前面は冷蔵庫本体１と同様の構成によって断熱性を持たせた回転自在な扉７、８によって開閉自在となっている。
【００２９】
また、前記冷蔵庫本体１の冷凍室２背面には冷却室９があり、冷気を生成する冷却器１０と、冷気を各室に供給する送風ファン１１とが設けてある。また、上記冷蔵庫本体１の本体下面奥部には圧縮機１２が設けてあり、コンデンサ（図示せず）と、放熱パイプ（図示せず）と、キャピラリーチューブ（図示せず）と、前記した冷却器１０とを順次環状に接続してなる冷凍サイクルに冷媒を封入し、冷却運転を行うように構成してある。
【００３０】
冷蔵室３は内部に複数の収納棚１４を着脱自在に有し、冷蔵室内空間が上下複数の空間に仕切られている。また、冷蔵室３の最上部の冷蔵室内空間の左上部には図２に示すように小物収納室１５が、そして右側にはチルド室となる小物収納室１６（以下、チルド室１６と称す）が設けてあり、最下部の冷蔵室空間には図３に示すように野菜収納ボックス１７、果物収納ボックス１８が引き出し自在に組み込んである。
【００３１】
また、冷蔵室３の背面部には前記冷却器１０で生成した冷気を冷蔵室３に供給する冷気ダクト１９が設けてある。この冷気ダクト１９は図４、図５に示すように冷蔵室３の背面略中央部分に上下方向に設けてあり、その左右両側面に冷気吹出し口２０が設けてある。更に、前記冷気ダクト１９は図５から明らかなように冷却器１０の横幅よりも短い横幅としてあり、当該冷気ダクト１９に連なる連結ダクト２１（図６参照）が冷却室９の中央部分、すなわち、冷却器１０の中央部分に接続してある。これによって、冷気ダクト１９は冷却器１０中央部分の冷気が供給される構成となる。
【００３２】
また、前記冷蔵室３の最上段空間部の背面部分には図５に示すように冷気戻り口２２が
設けてある。この冷気戻り口２２は前記冷気ダクト１９の横幅よりも外側部に位置するように設けてあり、その冷気戻り口２２に連なる冷気戻りダクト２３（図６参照）が前記冷却室９の左右両側部分、すなわち、冷却器１０の両側部分に接続してある。これによって、冷気戻り口２２からの冷気は冷却器１０両側外周部分に戻る構成となる。
【００３３】
更に、前記冷気ダクト１９はその冷気吹出し口２０が前記収納棚１４によって仕切られた各空間に対応する如く形成してあり、そのうち最上段の空間部分の冷気ダクト両側面の冷気吹出し口は設けず閉塞面とし、代わりに前記した小物収納室１５及びチルド室１６に対向するダクト前面の最上部に小さな補助冷気吹出し口２０ａ（図５参照）が形成してある。
【００３４】
ここで前記した本発明の要部となる小物収納室１５及びチルド室１６部分の構成について、図７〜図１２を用いて詳述する。
【００３５】
小物収納室１５及びチルド室１６は、冷蔵室３の上面壁と背面壁に取り付け固定した仕切壁２４によって区分け形成され、その下方の収納棚１４との間に空間２５を形成している。すなわち、上記仕切壁２４の取付けによって当該仕切壁２４の両側に収納空間を形成し、図８〜図１１に示すように当該収納空間の仕切壁２４側に設けた仕切壁レール部２６と冷蔵室壁面側に設けた壁面レール部２７との間にそれぞれ収納容器２８、２９を着脱自在に装着して、前記した小物収納室１５及びチルド室１６としてある。なお、前記チルド室１６の前面部には上後方向きに回動して開口させる前蓋３０が装着してある。
【００３６】
ここで、上記仕切壁２４は図１１、図１２に示すように上下横方向の複数のリブ２４ａで補強した板状に構成し、その上端面には背面側部分に背面側を開口した状態の係合溝３１付き係合片３２が、前方側部分に係止孔３３付き係止片３４が設けてある。なお、上記仕切壁２４の係止片３４は仕切壁２４を間にして前後方向に位置ずれして設けてある。
【００３７】
一方、冷蔵室３の最上段空間部の背面壁部分には図９、図１１に示すように上面壁部分から下向きに凹状溝部３５を形成するとともに、この凹状溝部３５近傍の上面壁の背面側部分には下端にフランジ部（図示せず）を有する突起３７が、前方部分にはビス孔３８が形成してある。
【００３８】
そして、上記仕切壁２４はその背面側端部を前記冷蔵室背面壁の凹状溝部３５に嵌め込むとともに、係合片３２の係合溝３１を前記冷蔵室上面壁の突起３７に嵌合させ、かつ、前方部分に位置する係止片３４を冷蔵室上面壁のビス孔３８にビス止めして固定してある。
【００３９】
更に上記収納容器２８、２９の仕切壁レール部２６及び壁面レール部２７への載置面には、図１０（ａ）（ｂ）に示すように当該仕切壁レール部２６及び壁面レール部２７のレール部分に係合する係合突起３９を設け、仕切壁２４と冷蔵室壁面との間の間隔を保持するように構成してある。
【００４０】
また、前記したチルド室１６及び小物収納室１５に対向する冷気ダクト前面の最上部に開口させた補助冷気吹出し口２０ａは、上記収納容器２８、２９よりも上方に位置するように設けてあり、冷気戻り口２２は前記収納容器２８、２９よりも下方に位置するように設けてある。
【００４１】
上記構成において、次にその動作について説明する。
【００４２】
まずこの冷蔵庫は、最上部の冷蔵室内空間に設けた小物収納室１５及びチルド室１６の
下方に空間２５が形成してあるから、前記小物収納室１５及びチルド室１６とともに、この下部空間部分にも食品を収納し冷却することができ、冷蔵室３内を有効に活用できる。
【００４３】
そして、上記小物収納室１５及びチルド室１６にはその収納容器２８、２９に食品を収納して保存冷却する通常の使用形態による使用ができる。
【００４４】
このとき、前記チルド室１６および小物収納室１５にはこれと対応して設けた補助冷気吹出し口２０ａからの冷気が吹き出し、チルド室１６および小物収納室１５内の食品を冷却した後、冷気戻り口２２から冷却室９へと還流していく。したがって、チルド室１６および小物収納室１５の収納容器２８、２９に収納した食品は強く冷却することができる。
【００４５】
なお、チルド室１６はこれと対応する補助冷気吹出し口２０ａからの冷気量を可変してその温度を例えば半冷凍保存に適した０℃〜−３℃に、或いは食品が凍らない程度の１℃〜５℃程度の温度に切り換えて使用できるものである。
【００４６】
一方、上記状態から小物収納室１５及びチルド室１６、例えば小物収納室１５の収納容器２８を取り外せば、図８に示すように当該小物収納室１５を収納棚１４から貯蔵室上面壁まで連続した一つの収納空間として使用できる。したがって、背丈の高いボトル等を収納することができるようになる。
【００４７】
このとき、補助冷気吹出し口２０ａから吹き出した冷気はその一部がその直下の冷気戻り口２２（図８ではボトルによって見えない）へとショートサーキットするようになるので、当該小物収納室１５の冷却度合いが低下し若干高め状態の冷却となる。したがって、例えば若干高め冷却が好まれるワインボトル等を最適状態に冷却することができる。このようにワインボトル等の冷却に適した収納空間とすることもできるので、この実施の形態では収納棚１４から貯蔵室上面壁までの寸法を一般的なワインボトルが収納できる寸法、例えば３１２．５ｍｍ以上としてある。
【００４８】
以上のように、上記小物収納室１５はユーザの好みに応じて小物収納と背丈の高いボトル等の収納に使い分けることができ、使用用途が拡大し、使い勝手が向上する。これはチルド室１６も同様であり、前蓋３０を上後方向きに回動させて開口した状態で使用すれば同様の使用が可能となる。
【００４９】
一方、上記小物収納室１５とチルド室１６の間に位置する仕切壁２４はその背面側端部を冷蔵室背面に嵌合固定するとともに上端面をビス止め固定しているので、左右方向にぶれることなく強固に固定されることになる。したがって、仕切壁２４の左右ぶれを防止する補強部材を設ける必要がなくなって前記した使い分けが可能になるとともに、仕切壁レール部２６と壁面レール部２７に保持させた収納容器２８、２９が仕切壁２４のぶれによって脱落するようなこともなくなる。
【００５０】
特にこの実施の形態では、仕切壁２４はその背面側端部を冷蔵室背面壁の凹状溝部３５に嵌め込むとともに、上端面の係合片３２に設けた係合溝３１を冷蔵室上面壁の突起３７嵌合して固定してあるから、仕切壁２４の背面側端部はその上端から下端までが凹状溝部３５によって固定され左右へのぶれが規制されるとともに、上端面の係合片３２が冷蔵室上面のフランジ部付きの突起３７に係合し、かつ係止片３４を冷蔵室上面壁のビス孔３８にビス止めして固定していることにより、強固に冷蔵室内面壁に固定され、仕切壁２４のぶれによる収納容器２８、２９の脱落をより確実に防止することができる。
【００５１】
また、上記仕切壁２４を固定する冷蔵室上面壁のビス孔３８が仕切壁２４を間にして前後方向に位置ずれして設けてあるから、冷蔵室上面壁のビス孔部分は当該ビス孔同士間の
寸法が大きくなって強度が向上する。したがって、上記冷蔵室上面壁のビス孔部分が使用しているうちに仕切壁２４を介して加わる収納容器２８、２９内の食品の重量によって下方へと変形し、仕切壁レール部２６と壁面レール部２７との位置関係がずれて収納容器２８、２９が傾いたり、引き出しにくくなるようなことが無く、長期間に亘って良好な品質を保つことができる。
【００５２】
加えて更に、上記収納容器２８、２９の仕切壁レール部２６及び壁面レール部２７への載置面には、当該仕切壁レール部２６及び壁面レール部２７のレール部分に係合する係合突起３９を設け、仕切壁２４と冷蔵室壁面との間の間隔を保持するように構成してあるから、仕切壁２４は収納容器２８、或いは収納容器２９と仕切壁レール部２６との係合によって左右方向へのぶれが規制され、仕切壁２４が左右にぶれることによって生じる収納容器２８又は収納容器２９の脱落を確実に防止することができ、信頼性を向上させることができる。
【００５３】
一方、仕切壁２４上端の係合片３２に設けた係合溝３１の開口は背面側を開口した形状としてあるから、上記係合溝３１の開口を冷蔵室上面の突起３７に合わせてそのまま押し込めば仕切壁背面側端部は冷蔵室背面壁の凹状溝部３５に嵌り込むとともに、係合溝付き係合片３２は冷蔵室上面壁の突起３７のフランジ部に懸架された状態で仮止め保持される。したがって、仕切壁取り付け時におけるビス止め固定が容易になり、生産性も向上する。
【００５４】
なお、上記構成からなるこの冷蔵庫は以下のようにして冷却が行われるものである。すなわち、冷蔵庫本体１の冷却室９で冷気が生成され、この冷気は連結ダクト２１を介して冷気ダクト１９へと流れ、冷気ダクト１９両側部の各冷気吹出し口２０から冷蔵室３内に供給される。冷蔵室３内に供給された冷気は、冷蔵室３内の食品を冷却し、冷蔵室上部の冷気戻り口２２から冷気戻りダクト２３を介して冷却室９に戻り、冷却器１０によって冷却され再び冷蔵室３へと流れる循環を繰り返す。
【００５５】
ここで、上記冷気ダクト１９は、冷却器１０の横幅よりも短い横幅として、冷却器１０の中央部分に接続した形としてあるから、上記冷気ダクト１９へと流れる冷気は、冷却器１０によって冷却された冷気のうち最も温度の低い状態の冷気が流れるようになる。すなわち、冷却器１０は冷気戻り口２２から冷却室９に還流してくる冷蔵室３内からの比較的温度の高い冷気を再冷却するのであるが、前記還流冷気は冷気戻りダクト２３から冷却器１０の両側外周部分に還流してくる。この冷却器１０の外周部に還流した温度の高い冷気は冷却器１０の中央部へと流れ、その間に再冷却され、中央部分では最も温度の低い状態となる。そしてこの温度が最も低くなった低温の冷気が冷却器１０の中央部分に繋がっている連結ダクト２１を介して冷気ダクト１９へと流れるのである。一方、冷却器１０の外周部に還流してきた温度の高い冷気がそのまま連結ダクト２１の開口部から冷気ダクト１９へと流れることはなくなる。したがって、これら両者の作用によって冷蔵室３には最も温度が低くなった冷気が供給され、冷蔵室３内の食品はこの最も温度が低くなった冷気によって冷却されることになり、効率の良い冷却が可能となる。これは、前記した小物収納室１５及びチルド室１６に補助冷気吹出し口２０ａから供給される冷気についてもいえることである。
【００５６】
また、前記冷気ダクト１９は冷蔵室背面の略中央部に位置していて、その両側部に冷気吹出し口２０が設けてあるから、冷気は冷蔵室３の背面中央部分から左右方向へと供給され、冷蔵室３内に分散していくことになる。そして、冷気戻り口２２が冷蔵室３の上部に設けてあるから、冷蔵室３に供給され低温であるがゆえに沈降しがちな冷気は冷蔵室３の上方に設けた冷気戻り口２２へと反転上昇して冷却器１０へと還流する。従って冷蔵室３内は均一に冷却されることになり、冷蔵室３内に収納された食品がどのような位置にあっ
てもこれらを効率よく均一に冷却することができる。
【００５７】
特にこの実施の形態の冷蔵庫は、図４に示すように上記冷気吹出し口２０の背面側の冷蔵室背面壁に傾斜面３ａが設けてあるから、冷気はこの傾斜面３ａに案内されて強制的に前方へと流れることになり、冷蔵室３内により均等に分散して冷蔵室３をより均一に冷却することができる。
【００５８】
また、上記冷気ダクト１９両側部の冷気吹出し口２０は、収納棚１４によって仕切られた各空間に対応して設けているので、この各空間に冷気を確実に供給することができる。そして前記各収納棚１４の背面側端部１４ａは冷気ダクト１９の冷気吹出し口２０よりも背面側に位置しているので、冷気吹出し口２０より吹出した冷気の一部が冷蔵室背面壁と収納棚１４の背面側端部１４ａとの間から下方へと直接流出してしまうのを低減することができる。したがって、冷蔵室３内の各空間の冷却をより確実かつ均一に行うことができ、冷蔵室３全体をさらに均一に冷却することができる。
【００５９】
また、上記冷気ダクト１９は冷蔵室背面部の略中央に設け、かつ、冷気吹出し口２０はその冷気ダクト１９の両側面に開口するように設けているので、冷蔵室３内を均一に冷却するために冷気ダクト１９を左右に分岐しなくても良く、構成の簡素化が図れる。
【００６０】
以上のようにこの冷蔵庫は仕切壁固定補強部材を設けなくても強固に仕切壁を固定でき、かつ、仕切壁横の収納空間を使い分けできて使い勝手が向上するものであるが、上記実施の形態は本発明を実施するうえでの一例として示したものであり、本発明の目的を達成する範囲で種々変更可能であることは言うまでもない。
【００６１】
例えば、上記実施の形態では小物収納室１５とチルド室１６等の収納空間を貯蔵室最上空間に設けたが、これは例えば貯蔵室最下方空間を形成する収納棚１４の下部に形成するようにしても良いものであり、その場合は上記実施の形態で示した突起３７やビス孔３８は収納棚１４に設ければよいものである。
【００６２】
また、上記実施の形態では仕切壁２４の背面側端部を嵌め込み固定する構成の一例として凹状溝部３５を例示したが、仕切壁背面側端部を挟み込める形の一対の突起の組合せを上下方向に複数列設けるなどしても良いものであり、また、突起３７と係合溝付き係合片３２との係合構成も他の構成で代用しても良いものであるし、このような係合構成を持たないものであっても良いものである。
【産業上の利用可能性】
【００６３】
以上のように本発明の冷蔵庫は、仕切壁横の収納空間をユーザの好みに応じて使用することができ、使い勝手が向上するとともに、仕切壁は仕切り壁固定補強部材を設けなくても左右にふらつくことなく強固に固定できて、高品質で信頼性の高いものとすることができ、一般用はもちろん業務用の冷蔵庫にも幅広く適用できる。
【符号の説明】
【００６４】
１  冷蔵庫本体
２  冷凍室
３  冷蔵室
４  外箱
５  内箱
６  発泡断熱材
７、８  扉
９  冷却室
１０  冷却器
１１  送風ファン
１２  圧縮機
１４  収納棚
１５  小物収納室（収納空間）
１６  チルド室（収納空間）
１７  野菜収納ボックス
１８  果物収納ボックス
１９  冷気ダクト
２０  冷気吹出し口
２０ａ  補助冷気吹出し口
２１  連結ダクト
２２  冷気戻り口
２３  冷気戻りダクト
２４  仕切壁
２５  空間
２６  仕切壁レール部
２７  壁面レール部
２８、２９  収納容器
３０  前蓋
３１  係合溝
３２  係合片
３３  係止孔
３４  係止片
３５  凹状溝部
３６  フランジ部
３７  突起
３８  ビス孔
３９  係合突起
【図３】
2014137186.tif 000003
【図１】
2014137186.tif 000004
【図２】
2014137186.tif 000005
【図４】
2014137186.tif 000006
【図５】
2014137186.tif 000007
【図６】
2014137186.tif 000008
【図７】
2014137186.tif 000009
【図８】
2014137186.tif 000010
【図９】
2014137186.tif 000011
【図１０】
2014137186.tif 000012
【図１１】
2014137186.tif 000013
【図１２】
2014137186.tif 000014
【図１３】
2014137186.tif 000015
【図１４】
2014137186.tif 000016